(57)【要約】      （修正有）【課題】カップの飲料の内容量を使用者のニーズに応じて調整できるカップを提供する。【解決手段】カップ蓋２１と、第１のカップ本体２２と、ボトムカップ２３とを備えるカップ２である。カップ蓋は第１の開口Ｏ１と、上部２１１と、第１のねじ部２１２とを有する。第１のカップ本体は、対向して且つ互いに貫通している第２の開口Ｏ２及び第３の開口Ｏ３と、第１のねじ部に対応して設けられている第２のねじ部２２１と、第２のねじ部に対向する第３のねじ部２２２とを有する。ボトムカップは、第４の開口Ｏ４と、底部２３２と、第３のねじ部に対応して設けられている第４のねじ部２３１とを有する。【選択図】図６Ｂ
0003227658.tif 000002
【実用新案登録請求の範囲】
【請求項１】
第１の開口と、上部と、第１のねじ部とを有するカップ蓋と、
対向して且つ互いに貫通している第２の開口及び第３の開口と、前記第１のねじ部に対応して設けられている第２のねじ部と、前記第２のねじ部と対向する第３のねじ部とを有する、第１のカップ本体と、
第４の開口と、底部と、前記第３のねじ部に対応して設けられている第４のねじ部とを有する、ボトムカップと、を備える、ことを特徴とするカップ。
【請求項２】
前記ボトムカップのカップ本体にて前記第４の開口に隣接する外側周縁に、前記第２のねじ部に対応して設けられている外ねじ部を更に有する、請求項１に記載のカップ。
【請求項３】
前記第１のねじ部が前記第４のねじ部に対応して設けられている、請求項１に記載のカップ。
【請求項４】
前記カップ蓋にて前記第１のねじ部から離れた側には、開放可能なキャップ部と、前記キャップ部と互いに組み合わさる前記上部とを更に有する、請求項１に記載のカップ。
【請求項５】
対向し且つ互いに貫通する第５の開口と第６の開口とを有しており、前記第５の開口の内側周縁は前記第１のねじ部又は前記第３のねじ部に対応して設けられている第５のねじ部を有しており、且つ前記第６の開口の外側周縁は前記第４のねじ部又は前記第２のねじ部に対応して設けられている第６のねじ部を有する、第２のカップ本体を更に備える、請求項２に記載のカップ。
【請求項６】
前記第２のカップ本体の構造、形状及びサイズが前記第１のカップ本体と同じである、請求項５に記載のカップ。
【請求項７】
前記ボトムカップの前記外ねじ部と前記第２のカップ本体の前記第５のねじ部とが対応して設けられており、且つ前記底部の直径が前記第５の開口又は前記第６の開口の内径より小さいことである、請求項５に記載のカップ。
【請求項８】
前記第１のねじ部、前記第３のねじ部、又は前記第６のねじ部に対応して設けられている第７のねじ部が内側周縁に有する第７の開口を一方側に有する底蓋を更に備える、請求項５
に記載のカップ。
【請求項９】
構造、形状及びサイズが第１のカップ本体と同じである少なくとも一つの第３のカップ本体を更に備える、請求項２に記載のカップ。
【請求項１０】
前記第３のカップ本体の個数が二つであり、前記二つの第３のカップ本体が互いに連結され、且つこのうちの一つの第３のカップ本体と前記ボトムカップの前記外ねじ部に連結される、請求項９に記載のカップ。
【請求項１１】
互いに連結される前記二つの第３のカップ本体のうちの一つと連結される底蓋を更に備える、請求項１０に記載のカップ。
【請求項１２】
前記上部の直径が前記第２の開口又は前記第３の開口の内径より小さいことである、請求項１に記載のカップ。
【請求項１３】
前記底部の直径が前記第２の開口又は前記第３の開口の内径より小さいことである、請求項１に記載のカップ。
【請求項１４】
対向し且つ互いに貫通する第５の開口と第６の開口とを有しており、前記第５の開口の内側周縁は前記第１のねじ部又は前記第３のねじ部に対応して設けられている第５のねじ部を有しており、且つ前記第６の開口の外側周縁は前記第４のねじ部又は前記第２のねじ部に対応して設けられている第６のねじ部を有する、第２のカップ本体を更に備える、請求項１に記載のカップ。
【請求項１５】
前記底部の直径が前記第５の開口又は前記第６の開口の内径より小さい、請求項１４に記載のカップ。
【請求項１６】
前記カップ蓋は更に、前記上部とカップ蓋本体がそれぞれ個別の部材である、請求項１に記載のカップ。
【請求項１７】
前記ボトムカップは更に、前記底部とボトムカップ本体がそれぞれ個別の部材である、請求項１に記載のカップ。
【考案の詳細な説明】
【技術分野】
【０００１】
本考案はカップに関し、特に飲料の内容量を使用者のニーズに応じて調整（変更）可能なカップに関する。
【背景技術】
【０００２】
人々の飲料の嗜好の変化、及びコーヒー飲用者の増加に伴って、オーダーメイドのハンドシェイク飲料及び挽き立てコーヒーの販売店が林立するようになっている。近年、国内の飲料販売店業者では新商品の開発に力を入れており、加えてブランディング、積極的な販売展開により、営業額は年を追って上昇している。
【０００３】
プラスチック規制政策の推進に伴って、カフェ、ハンドシェイク飲料店で飲料を購入するに際して、ますます多くの人が自分専用のカップ（例えば保温カップ又はタンブラー）を持参するようになり、環境保護に応じて、且つ長時間保温可能となる以外に、色及びモデルもかなり多様化してきており、数多くのサラリーマン及び通勤者から好評を得ている。
【０００４】
しかしながら、市販されているカップは一般的に一定の容量しかなく、多めの量の飲料を収容したいときには、より多くのカップを使用するか、又は内容量の大きなカップを使用することになるが、これでは、体積が大きくなるばかりでなく、収納及び携行が不便で、特にサラリーマン及び通勤者には適さない。
【考案の概要】
【考案が解決しようとする課題】
【０００５】
本考案の目的は、飲料の内容量を使用者のニーズに応じて調整（変更）可能なカップを提供するところにある。
【課題を解決するための手段】
【０００６】
上記目的を達成するために、本考案のカップによれば、カップ蓋と、第１のカップ本体と、ボトムカップとを備える。カップ蓋は第１の開口と、上部と、第１のねじ部とを有する。第１のカップ本体は、対向して且つ互いに貫通している第２の開口及び第３の開口と、第１のねじ部に対応して設けられている第２のねじ部と、第２のねじ部と対向する第３のねじ部とを有する。ボトムカップは、第４の開口と、底部と、第３のねじ部に対応して設けられている第４のねじ部とを有する。
【０００７】
上記を受けて、本考案のカップにおいて、第１のカップ本体がカップ蓋の第１のねじ部に対応して設けられている第２のねじ部を有する、及びボトムカップが第１のカップ本体の第３のねじ部に対応して設けられている第４のねじ部を有する構造設計により、本考案のカップでは分解時に少なめの量の飲料を収容可能となり、組み合わせた時には多めの量の飲料を収容可能となる。よって、本考案のカップは、飲料の内容量を使用者のニーズに応じて調整（変更）可能である。
【０００８】
また、一部の実施例において、本考案のカップの容量は大きく、そして分解、収納又は新たに組み合わせた後でも一体性を有し、同時に容量はなおも元々の組み合わせよりも少ないカップとなり、しかも断熱効果を有する。
【０００９】
また、一部の実施例において、本考案のカップは分解、収納又は新たに組み合わせた後に全体的な体積が減少して、使用者が携行しやすくなり、使用者のニーズに応じて自由に調整及び組み合わせることができ、応用の柔軟性はかなり高くなっていて、アクセサリーを増加することで更に応用を拡大することができる。
【考案の効果】
【００１０】
本願のカップでは、分解した時には少なめの量の飲料を収容可能となり、組み合わせた時には多めの量の飲料を収容可能となって、使用者のニーズに応じてカップの飲料の内容量が調整（変更）可能となる。
【図面の簡単な説明】
【００１１】
【図１Ａ】本考案の実施例のカップの分解概略図である。
【図１Ｂ】本考案の実施例のカップの組み合わせ概略図である。
【図１Ｃ】本考案の実施例のカップの断面概略図である。
【図２Ａ】図１Ａのカップを収納又は新たに組み合わせたときの分解概略図である。
【図２Ｂ】図１Ａのカップを収納又は新たに組み合わせたときの組み合わせ概略図である。
【図２Ｃ】図１Ａのカップを収納又は新たに組み合わせたときの断面概略図である。
【図３Ａ】本考案のその他の実施例のカップの分解概略図である。
【図３Ｂ】本考案のその他の実施例のカップの組み合わせ概略図である。
【図３Ｃ】本考案のその他の実施例のカップの断面概略図である。
【図４Ａ】図３Ａのカップを収納又は新たに組み合わせたときの分解概略図である。
【図４Ｂ】図３Ａのカップを収納又は新たに組み合わせたときの組み合わせ概略図である。
【図４Ｃ】図４Ｂのカップを収納又は新たに組み合わせた後の底蓋との組み合わせ概略図である。
【図５Ａ】本考案のその他の実施例のカップの組み合わせ概略図である。
【図５Ｂ】本考案のその他の実施例のカップの断面概略図である。
【図６Ａ】本考案のもう一つの実施例のカップの組み合わせ概略図である。
【図６Ｂ】本考案のもう一つの実施例のカップの分解概略図及である。
【図６Ｃ】本考案のもう一つの実施例のカップの断面概略図である。
【図６Ｄ】本考案のもう一つの実施例のカップの異なる分解概略図である。
【図６Ｅ】本考案のもう一つの実施例のカップの異なる分解概略図である。
【図６Ｆ】本考案のもう一つの実施例のカップの収納概略図である。
【図７Ａ】本考案のその他の実施例のカップの組み合わせ概略図である。
【図７Ｂ】本考案のその他の実施例のカップの分解概略図である。
【図７Ｃ】本考案のその他の実施例のカップの断面概略図である。
【図７Ｄ】本考案のその他の実施例のカップの異なる分解概略図である。
【図７Ｅ】本考案のその他の実施例のカップの異なる分解概略図である。
【図７Ｆ】本考案のその他の実施例のカップの収納概略図である。
【図８】本考案のその他の実施例のカップの概略図である。
【図９Ａ】本考案の異なるカップ本体に本体底部を加設した概略図である。
【図９Ｂ】本考案の異なるカップ本体に本体底部を加設した概略図である。
【図９Ｃ】本考案のその他の実施例のボトムカップの概略図である。
【考案を実施するための形態】
【００１２】
以下にて関連する図面を参照して、本考案の一部実施形態について説明し、同じ構成要素には同じ符号を付する。
【００１３】
以下の実施例のカップは保温カップ、タンブラー、又はハンドシェイク飲料、カフェで提供されるカップ、又は液体状（例えば茶、コーヒー、飲料、ホットドリンク、・・・）又は非液体状（例えば粉ミルク、・・・）等の内容物を収容可能な容器とすることができ、限定はしない。また、以下の実施例のカップの材質はステンレス、プラスチック、ゴム、セラミック又はその他の適した材料、又はその組み合わせを含むことができ、限定はしない。また、以下の実施例にて現れる第１、第２、第３、・・・等は単に構成要素を区別するためであり、同じ又は異なる構造を有する。本文に現れる「開口の内径」とは当該開口の最大幅のことを表し、「ある構成要素の直径」とは当該構成要素の最大幅のことを表すものである。
【００１４】
図１Ａないし図１Ｃは、それぞれ本考案の実施例の一種のカップの分解概略図、組み合わせ概略図及び断面概略図であり、図２Ａないし図２Ｃは、それぞれ図１Ａのカップを収納又は新たに組み合わせたときの分解概略図、組み合わせ概略図及び断面概略図である。
【００１５】
まず、図１Ａないし図１Ｃに示すように、カップ１はカップ蓋１１と、第１のカップ本体１２と、ボトムカップ１３とを備える。平面視にて、カップ蓋１１、第１のカップ本体１２及びボトムカップ１３はそれぞれ円形状とし、二つずつ装着して設けることができる。具体的には、カップ蓋１１と第１のカップ本体１２、第１のカップ本体１２とボトムカップ１３、又はカップ蓋１１とボトムカップ１３が互いに組み合わさり連結される。
【００１６】
カップ蓋１１は第１のカップ本体１２又はボトムカップ１３上を封止することができる。カップ蓋１１は第１の開口Ｏ１と第１のねじ部１１１とを有する。具体的には、カップ蓋１１の一方側には第１の開口Ｏ１を有しており、第１の開口Ｏ１の外側周縁には第１のねじ部１１１を有する。ここで、第１のねじ部１１１は外ねじである。また、本実施例のカップ蓋１１にて第１のねじ部１１１から離れた側には、開放可能なキャップ部１１２と、キャップ部１１２と互いに組み合わさる上部１１３（図１Ａ）とを更に有しており、キャップ部１１２はヒンジピンなどの部品を介して、開放可能な上部１１３に連結できる。このうち、上部１１３は少なくとも一つの貫通穴を有しており、キャップ部１１２は、少なくとも一つの貫通穴に対応して設けられている少なくとも一つの突出部を有する。本実施例における上部１１３は二つの貫通穴ｈ１、ｈ２を有しており、且つキャップ部１１２は貫通穴ｈ１、ｈ２に対応して設けられている二つの突出部ｐ１、ｐ２を有する。キャップ部１１２が上部１１３を封止したとき、突出部ｐ１、ｐ２は、貫通穴ｈ１、ｈ２内にそれぞれ対応して位置することで（図１Ｃ）、完全なカップ蓋１１となる。当然のこと、異なる実施例において、カップ蓋１１は上部１１３及びキャップ部１１２を持たなくてもよい。図１Ａに示すように、キャップ部１１２を開いたとき、使用者は直接に貫通穴ｈ１を通じて収容されている飲料を飲むことができ、又は、ストローを貫通穴ｈ１若しくは貫通穴ｈ２に挿入して収容されている飲料を吸飲することができるものであって、カップ蓋１１全体を開く必要はない。
【００１７】
第１のカップ本体１２は、対向するとともに互いに貫通している第２の開口Ｏ２及び第３の開口Ｏ３と、第２のねじ部１２１と、第２のねじ部１２１と対向する第３のねじ部１２２とを有する。具体的には、第１のカップ本体１２は中空円筒状であり、第２の開口Ｏ２の内側周縁に、第１のねじ部１１１に対応して設けられている第２のねじ部１２１を有しており、且つ第３の開口Ｏ３の外側周縁は第３のねじ部１２２を有する。ここで、第２のねじ部１２１は内ねじであり、且つ第３のねじ部１２２は外ねじである。第１のカップ本体１２の第２のねじ部１２１とカップ蓋１１の第１のねじ部１１１に対応して設けられているため、両者は互いに直接螺合連結（雄ねじ、雌ねじで螺合結合されるので、連結体を必要としない）することで、カップ蓋１１は第１のカップ本体１２の第２の開口Ｏ２を封止することができる。
【００１８】
ボトムカップ１３はカップ１のカップ底であり、第４の開口Ｏ４と、底部１３１と、第４のねじ部１３２とを有する。具体的には、第４の開口Ｏ４の内側周縁には、第１のカップ本体１２の第３のねじ部１２２に対応して設けられている第４のねじ部１３２を有する。よって、ボトムカップ１３が単独であるとき、小さなカップとなり得る。ボトムカップ１３の第４のねじ部１３２は、第１のカップ本体１２の第３のねじ部１２２に対応して設けられているため、両者は互いに直接螺合連結できる。また、本実施例のカップ蓋１１の第１のねじ部１１１もボトムカップ１３の第４のねじ部１３２と互いに対応して設けられているため、第１のねじ部１１１と第４のねじ部１３２を螺合連結することで、カップ蓋１１がボトムカップ１３の第４の開口Ｏ４を封止することができる。また、本実施例の底部１３１の直径は第１のカップ本体１２の第２の開口Ｏ２（及び第３の開口Ｏ３）の内径より小さいことにより、ボトムカップ１３はその底部１３１により第１のカップ本体１２の第２の開口Ｏ２（又は第３の開口Ｏ３）を通じて、少なくとも一部を第１のカップ本体１２の中に置くことができる。
【００１９】
具体的には、図１Ｃに示すように、本実施例のカップ蓋１１にて第１のカップ本体１２に対向する側に第１のねじ部１１１を有しており、第１のカップ本体１２にてカップ蓋１１に対向する側に第２のねじ部１２１を有しており、第１のねじ部１１１と第２のねじ部１２１は対応して設けられ且つ互いに直接連結可能である。また、第１のカップ本体１２にてボトムカップ１３に対向する側（又はカップ蓋１１から離れた側）に第３のねじ部１２２を有しており、ボトムカップ１３にて第１のカップ本体１２に対向する側に第４のねじ部１３２を有しており、第３のねじ部１２２と第４のねじ部１３２は対応して設けられ、互いに直接連結可能である。よって、互いに対応して設けられ、且つ螺合連結可能なねじ部により、カップ蓋１１、第１のカップ本体１２及びボトムカップ１３がしっかり連結され、カップ１を構成することで、より多めの量の飲料を収容可能となる。逆に、カップ蓋１１、第１のカップ本体１２及びボトムカップ１３を分離した後、使用者はボトムカップ１３を単体で使用するか、又はカップ蓋１１とボトムカップ１３と螺合して、少なめの量の飲料を収容するように選択することができ（図２Ａ）、異なる内容量のニーズに応える。
【００２０】
注目すべきなのは、収容された飲料が漏れ出ないように、本実施例のカップ１は複数のパッキン（図示せず）を更に備えることができ、各パッキンは、二つ連結したねじ部の間にそれぞれ対応して設けられていて、収容された飲料が連結箇所から漏れ出るのを防止することができる。パッキンは例えばゴム製のＯリング（Ｏ-ｒｉｎｇ）とするが、限定されない。
【００２１】
また、図１Ａに示すように、本実施例のボトムカップ１３のカップ本体にて第４の開口Ｏ４に隣接する外側周縁に外ねじ部１３３をさらに有しており、且つ外ねじ部１３３は第２のねじ部１２１に対応して設けられている。具体的には、ボトムカップ１３は第４のねじ部１３２を有する部分を、ボトムカップ１３の開口部１３４とすることができ、そして第４のねじ部１３２は開口部１３４の内側に位置し且つ、外ねじ部１３３は開口部１３４の下方のカップ本体上に位置している。ボトムカップ１３の外ねじ部１３３は第１のカップ本体１２の第２のねじ部１２１に対応して設けられており、しかも底部１３１の直径は第１のカップ本体１２の第２の開口Ｏ２の内径より小さいことで、ボトムカップ１３の底部１３１は第１のカップ本体１２の第２の開口Ｏ２を通じて、ボトムカップ１３の外ねじ部１３３と第１のカップ本体１２の第２のねじ部１２１とを螺合させることで、異なる組み合わせ形態を得ることができる。
【００２２】
図１Ｃに示すように、本実施例のカップ１は順にカップ蓋１１、第１のカップ本体１２及びボトムカップ１３を組み合わせた後、より大きな容量を有してより多めの飲料を収容可能となる。使用することなく収納及び携行するか、又は少なめの量の飲料を収容する場合、これらの部材を新たに組み合わせて、カップ蓋１１、第１のカップ本体１２及びボトムカップ１３を分離すれば、図２Ａに示すように、ボトムカップ１３をカップ蓋１１と、第１のカップ本体１２の間に置き、ボトムカップ１３の底部１３１の直径が第１のカップ本体１２の第２の開口Ｏ２の内径より小さい構造設計により、図２Ｂ及び図２Ｃに示すように、ボトムカップ１３は第１のカップ本体１２を通じて、ボトムカップ１３の外ねじ部１３３が第１のカップ本体１２の第２のねじ部１２１に対応して設けられていることから、両者を直接螺合させることができる。それに、カップ蓋１１の第１のねじ部１１１もボトムカップ１３の第４のねじ部１３２に対応して設けられているため、カップ蓋１１をボトムカップ１３に直接螺合し、開口を封止することができ、より小さい体積と少なめ容量のカップ１として新たな組み合わせた形態となる。
【００２３】
よって、図２Ａないし図２Ｃに示すように、本実施例のカップ１は分解した後には、元々の部材を運用して収納するか、新たに組み合わせた後でも一体性を有し、収納又は携行しやすくなり、カップの容量も元組み合わせよりなお少なくなることで、使用者のニーズに応じて、飲料の内容量を調整（変更）することができる。また、第１のカップ本体１２はボトムカップ１３の外周に位置していることから、ホットドリンクを収容するとき、第１のカップ本体１２で断熱効果を奏する。また、本実施例のカップ１では分解、収納又は新たに組み合わせた後の全体的な体積は小さくなり、使用者が携行、収納しやすくなっている。
【００２４】
図３Ａ〜図３Ｃはそれぞれ本考案の異なる実施例のカップの分解概略図、組み合わせ概略図及び断面概略図であり、図４Ａないし図４Ｂはそれぞれ図３Ａのカップを収納又は新たに組み合わせたときの分解概略図及び組み合わせ概略図であり、図４Ｃは図４Ｂのカップを収納又は新たに組み合わせた後の底蓋との組み合わせ概略図である。
【００２５】
図３Ａないし図３Ｃに示すように、本実施例のカップ１ａは上記実施例（図１Ａ）のカップ１と概ね同じである。カップ１との主な相違点は、本実施例のカップ１ａが更に第２のカップ本体１４を備え、第２のカップ本体１４に対向し且つ互いに貫通している第５の開口Ｏ５と第６の開口Ｏ６とを有するところである。このうち、第５の開口Ｏ５の内側周縁は第１のねじ部１１１及び第３のねじ部１２２に対応して設けられている第５のねじ部１４１を有しており、且つ第６の開口Ｏ６の外側周縁は第４のねじ部１３２及び第２のねじ部１２１に対応して設けられている第６のねじ部１４２を有する。ここで、第２のカップ本体１４の構造、形状及びサイズは第１のカップ本体１２と同じである。よって、ボトムカップ１３の底部１３１の直径は同様に第２のカップ本体１４の第５の開口Ｏ５又は第６の開口Ｏ６の内径より小さいことである。勿論、異なる実施例において、第２のカップ本体１４の構造、形状及びサイズは第１のカップ本体１２と異なっても構わない。例えば、第１のカップ本体１２と第２のカップ本体１４とでは側壁の長さが異なっている（しかし開口の内径及びねじ部はいずれも対応して同じである）。
【００２６】
よって、図３Ｂ及び図３Ｃに示すように、第２のカップ本体１４は第１のカップ本体１２とボトムカップ１３との間に重なり合わせて、カップ１ａの全体容量を増加させることができる。異なる実施例において、使用者の使用に応じて、第２のカップ本体１４はカップ蓋１１と第１のカップ本体１２との間に位置させてもよい。また、異なる実施例において、第２のカップ本体１４の個数は二個、三個、又は四個を追加し、重ね合わす形態でカップの容量を増加させてもよい。
【００２７】
図４Ａ及び図４Ｂに示すように、本実施例において、第１のカップ本体１２の第２のねじ部１２１とボトムカップ１３の外ねじ部１３３とを螺合した後、第１のカップ本体１２の第３のねじ部１２２により第５のねじ部１４１に螺合することで、第２のカップ本体１４を第１のカップ本体１２の下に連結させることができる。よって、本実施例のカップ１ａにおいて、分解、収納又は新たに組み合わせた後でも一体性を有し（図４Ｂ）、カップの容量も元組み合わせよりなお少なくなることで、使用者のニーズに応じて、飲料の内容量を調整（変更）することができる。また、第１のカップ本体１２及び第２のカップ本体１４はボトムカップ１３の外周に位置していることから、ホットドリンクを収容するとき、第１のカップ本体１２及び第２のカップ本体１４で断熱効果を奏する。また、本実施例のカップ１ａでは分解、収納又は新たに組み合わせた後の全体的な体積は小さくなり、使用者が携行しやすくなっている。
【００２８】
図４Ｃの実施例において、カップ１ａは更に底蓋１５に装着して応用することができる。ここで、底蓋１５の一方側には第７の開口Ｏ７を有しており、第７の開口Ｏ７の内側周縁には、第１のねじ部１１１、第３のねじ部１２２、又は第６のねじ部１４２に対応して設けられている第７のねじ部１５１を有する。よって、底蓋１５は第１のねじ部１１１、第３のねじ部１２２、又は第６のねじ部１４２と螺合連結されて、異なる組み合わせを得ることができる。例えば、図４Ｃの実施例において、底蓋１５は第７のねじ部１５１を介して第２のカップ本体１４の第６のねじ部１４２と螺合連結される。しかし、異なる実施例において、底蓋１５も図４Ａの第１のカップ本体１２の第３のねじ部１２２、又は第２のカップ本体１４の第６のねじ部１４２などに単独で螺合されるため、第１のカップ本体１２及び底蓋１５、又は第２のカップ本体１４及び底蓋１５、或いは第１のカップ本体１２と第２のカップ本体１４及び底蓋１５の連結を用いてより小さなカップを得て、少なめの量の飲料を収容可能となる。そして、第２のカップ本体１４を第１のカップ本体１２に螺合した後、更に底蓋１５を第２のカップ本体１４の底部に螺合することで、より大容量のカップを得るものである。使用者のニーズ次第、自由に組み合わせることができ、応用の柔軟性はかなり高い。
【００２９】
図５Ａ及び図５Ｂはそれぞれ本考案の異なる実施例のカップの組み合わせ概略図及び断面概略図である。図５Ａ〜図５Ｂに示すように、本実施例のカップ１ｂは上記実施例のカップ１ａと概ね同じである。カップ１ａとの主な相違点は、本実施例のカップ１ｂは少なくとも一つの第３のカップ本体を含むところである。本実施例において、第３のカップ本体の個数は二個（それぞれ１６、１７で表記する）である。このうち、二つの第３のカップ本体１６、１７の構造、形状及びサイズは第１のカップ本体１２又は第２のカップ本体１４の構造、形状及びサイズと同じであるか、又は異なる。ここで、二つの第３のカップ本体１６、１７の構造、形状及びサイズをそれぞれ第１のカップ本体１２（及び第２のカップ本体１４）と同じであるものを例とする。図示するように、二つの第３のカップ本体１６、１７をその対応して設けられているねじ部１６２、１７１で互いに連結した後、第３のカップ本体１６のねじ部１６１とボトムカップ１３の外ねじ部１３３とを螺合し、その後、底蓋１５の第７のねじ部１５１と第３のカップ本体１７のねじ部１７２とを連結することで、外形がかなり整って、美観に優れ且つ一体性を有するカップ１ｂを構成する。
【００３０】
上記を受けて、本考案の上記カップにおいて、第１のカップ本体がカップ蓋の第１のねじ部に対応して設けられている第２のねじ部を有する、及びボトムカップが第１のカップ本体の第３のねじ部に対応して設けられている第４のねじ部を有する構造設計により、本考案のカップでは分解した時に少なめの量の飲料を収容可能となり、組み合わせた時には多めの量の飲料を収容可能となる。よって、本考案は使用者のニーズに応じて、カップの内容量を調整（変更）可能である。また、本考案のカップの容量は大きいうえに、分解、収納又は新たに組み合わせた後でも一体性を有し、カップの容量も調整で元組み合わせより少なくなり、同時に断熱効果を発揮できる。そして、本考案のカップは分解、収納又は新たに組み合わせた後に全体的な体積が減少して、使用者が携行しやすくなり、使用者のニーズに応じて自由に調整及び組み合わせることができ、応用の柔軟性はかなり高くなっている。アクセサリーを増加することで更に応用を拡大することができる。
【００３１】
図６Ａないし図６Ｃはそれぞれ本考案の異なる実施例の一種のカップの組み合わせ概略図、分解概略図及び断面概略図である。
【００３２】
図６Ａないし図６Ｃに示すように、カップ２はカップ蓋２１と、第１のカップ本体２２と、ボトムカップ２３とを備える。平面視にて、カップ蓋２１、第１のカップ本体２２及びボトムカップ２３はそれぞれ円形状とし、二つずつ装着して設けることができる。具体的には、カップ蓋２１と第１のカップ本体２２、第１のカップ本体２２とボトムカップ２３、又はカップ蓋２１とボトムカップ２３が互いに組み合わさり連結される。
【００３３】
カップ蓋２１は第１のカップ本体２２を封止するためのものである。本実施例のカップ蓋２１が単独であるとき、一般的なカップ蓋として第１のカップ本体２２を封止する以外、単体の小さいカップとして飲料を収容することができる。このうち、カップ蓋２１は第１の開口Ｏ１と、上部２１１と、第１のねじ部２１２とを有する。具体的には、第１の開口Ｏ１の外側周縁には第１のねじ部２１２を有する。
【００３４】
第１のカップ本体２２は、対向して互いに貫通している第２の開口Ｏ２及び第３の開口Ｏ３と、第２のねじ部２２１と、第２のねじ部２２１に対向する第３のねじ部２２２とを有する。具体的には、第１のカップ本体１２は中空円筒状であり、第１のカップ本体２２にてカップ蓋２１に対向する側に第２の開口Ｏ２を有しており、第１のカップ本体２２にてカップ蓋２１から離れた側には第３の開口Ｏ３を有する。このうち、第２の開口Ｏ２の内側周縁は第２のねじ部２２１を有し、第３の開口Ｏ３の外側周縁は第３のねじ部２２２を有する。また、カップ蓋２１の上部２１１の直径は第２の開口Ｏ２及び第３の開口Ｏ３の内径より小さいことで、カップ蓋２１は上部２１１により第１のカップ本体２２の第２の開口Ｏ２又は第３の開口Ｏ３を通じて、少なくとも一部を第１のカップ本体２２の中に置くことができる。
【００３５】
ボトムカップ２３はカップ２のカップ底であり、ボトムカップ２３が単独であるときは小さなカップとなり得る。ボトムカップ２３は第４の開口Ｏ４と、第４のねじ部２３１と、底部２３２とを有しており、第４のねじ部２３１と第３のねじ部２２２は対応して設けられ且つ互いに連結可能である。具体的には、本実施例の第４の開口Ｏ４の内側周縁は第３のねじ部２２２に対応して設けられている第４のねじ部２３１を有しており、且つ底部２３２の直径も第２の開口Ｏ２及び第３の開口Ｏ３の内径より小さいことでボトムカップ２３もその底部２３２により第１のカップ本体２２の第２の開口Ｏ２（又は第３の開口Ｏ３）を通じて、少なくとも一部を第１のカップ本体１２の中に置くことができる。
【００３６】
具体的には、図６Ｃに示すように、本実施例のカップ蓋２１にて第１のカップ本体２２に対向する側に第１のねじ部２１２を有しており、第１のカップ本体２２にてカップ蓋２１に対向する側に第２のねじ部２２１を有しており、第１のねじ部２１２と第２のねじ部２２１は対応して設けられ且つ互いに連結可能である。また、第１のカップ本体２２にてボトムカップ２３に対向する側（又はカップ蓋２１から離れた端）に第３のねじ部２２２を有しており、ボトムカップ２３にて第１のカップ本体２２に対向する側に第４のねじ部２３１を有しており、第３のねじ部２２２と第４のねじ部２３１は対応して設けられ且つ互いに連結可能である。本実施例の第１のねじ部２１２と第２のねじ部２２１、第３のねじ部２２２と第４のねじ部２３１との連結手段はそれぞれ螺合連結を例としている。螺合連結は、両者が互いに組み合わさる内ねじ、外ねじで螺合して、カップ蓋２１及び第１のカップ本体２２、第１のカップ本体２２及びボトムカップ２３がしっかり連結されて、カップ２を構成することができる。
【００３７】
収容された飲料が漏れ出ないように、本実施例のカップ２も同じく複数のパッキンを備える。各パッキンは、二つ連結したねじ部の間にそれぞれ対応して設けられ、収容された飲料が連結箇所から漏れ出るのを防止することができる。パッキンは例えばゴム製のＯリングとするが、限定されない。
【００３８】
上記を受けて、使用者は異なる飲料の内容量のニーズがある場合、図６Ｃに示すように、カップ蓋２１、第１のカップ本体２２及びボトムカップ２３をカップ２として組み合わせるように選択することで多めの量の飲料を収容可能となる、逆に、カップ蓋２１、第１のカップ本体２２及びボトムカップ２３を分解した後、使用者はカップ蓋２１又はボトムカップ２３を単体で使用し、少なめの量の飲料を収容可能となり、使用者による異なる内容量のニーズにとって便利となる。
【００３９】
図６Ｄ及び図６Ｅはそれぞれ本考案の実施例のカップの異なる分解概略図であり、図６Ｆは一実施例のカップの収納概略図である。
【００４０】
使用せずに収納及び携行するときには、図６Ｄに示すように、カップ蓋２１、第１のカップ本体２２及びボトムカップ２３を分離した後、図６Ｅに示すように、ボトムカップ２３を上下逆にしれば、図６Ｆに示すように、ボトムカップ２３の底部２３２の直径が第３の開口Ｏ３の内径より小さい構造設計により、ボトムカップ２３の一部を第１のカップ本体２２内に重ね合わせることで全体の体積が減少させることができる。同時には、カップ蓋２１を上下逆にした後、カップ蓋２１の上部２１１の直径が第２の開口Ｏ２の内径より小さい構造設計により、カップ蓋２１の一部も第１のカップ本体２２内に重ね合わせる。カップ蓋２１、第１のカップ本体２２及びボトムカップ２３の順で重ね合わせることで、カップ２の全体的な体積を減少させて、使用者が収納及び携行しやすくなる。
【００４１】
図７Ａないし図７Ｃはそれぞれ本考案の異なる実施例の一種のカップの組み合わせ概略図、分解概略図及び断面概略図である。
【００４２】
図７Ａないし図７Ｃに示すように、カップ２との主な相違点は、本実施例のカップ２ａはカップ蓋２１と、第１のカップ本体２２ａ（第１のカップ本体２２、２２ａの構造と同じである）と、ボトムカップ２３とを含む以外に、更に容量を増加することができる第２のカップ本体２２ｂを含むところである。ここで、一個の第２のカップ本体２２ｂを例とするが、異なる実施例において、第２のカップ本体２２ｂの個数もまた二個以上としてもよく、第２のカップ本体２２ｂを追加することで、カップをロングカップとして内容量を増加させることができる。
【００４３】
図７Ｂに示すように、第２のカップ本体２２ｂは互いに対向して、貫通する第５の開口Ｏ５と第６の開口Ｏ６とを有しており、且つ第２のカップ本体２２ｂの両側はそれぞれ第１のカップ本体２２ａ及びボトムカップ２３に連結される。具体的には、本実施例の第１のカップ本体２２ａと第２のカップ本体２２ｂは互いに連結されて、連結箇所Ｐ（図７Ｃ）を構成し、そして第２のカップ本体２２ｂの第５の開口Ｏ５の内側周縁は第５のねじ部２２７を有しており、第２のカップ本体２２ｂの第６の開口Ｏ６の外側周縁は第５のねじ部２２７に対向する第６のねじ部２２８を有しており、第５のねじ部２２７は第１のねじ部２１２又は第３のねじ部２２２に対応して設けられ、且つ第６のねじ部２２８は第４のねじ部２３１又は第２のねじ部２２１に対応して設けられている。本実施例の第２のカップ本体２２ｂの構造、形状及びサイズは第１のカップ本体２２ａと同じである。よって、ボトムカップ２３の底部２３２の直径は同様に第２のカップ本体２２ｂの第５の開口Ｏ５及び第６の開口Ｏ６の内径より小さいことである。勿論、異なる実施例において、第２のカップ本体２２ｂの構造、形状及びサイズは第１のカップ本体２２ａと異なっても構わない。例えば、第１のカップ本体２２ａと第２のカップ本体２２ｂとでは側壁の長さが異なっている（しかし開口の内径及びねじ部はいずれも対応して同じである）。
【００４４】
具体的には、図７Ｃに示すように、本実施例のカップ蓋２１にて第１のカップ本体２２ａに対向する側に第１のねじ部２１２を有しており、第１のカップ本体２２ａにてカップ蓋２１に対向する側に第２のねじ部２２１を有しており、第１のねじ部２１２と第２のねじ部２２１は対応して設けられ且つ互いに連結可能である。また、第１のカップ本体２２ａにて第２のカップ本体２２ｂに対向する側に第３のねじ部２２２を有しており、第３のねじ部２２２と第２のカップ本体２２ｂの第５のねじ部２２７は対応して設けられ且つ互いに連結可能である。また、第２のカップ本体２２ｂにてボトムカップ２３に対向する側（又は第１のカップ本体２２ａから離れた側）に第６のねじ部２２８を有しており、ボトムカップ２３にて第２のカップ本体２２ｂに対向する側に第４のねじ部２３１を有しており、第６のねじ部２２８と第４のねじ部２３１は対応して設けられ且つ互いに連結可能である。これにより、カップ蓋２１と第１のカップ本体２２ａ、第１のカップ本体２２ａと第２のカップ本体２２ｂ、及び第２のカップ本体２２ｂとボトムカップ２３がしっかり連結され、カップ２ａを構成することができる。
【００４５】
上記を受けて、使用者に異なる内容量のニーズがある場合、図７Ｃに示すように、カップ蓋２１、第１のカップ本体２２ａ、第２のカップ本体２２ｂ及びボトムカップ２３をカップ２ａとして組み合わせたことで多めの量の飲料を収容可能となる。逆に、カップ蓋２１、第１のカップ本体２２ａ、第２のカップ本体２２ｂ及びボトムカップ２３を分解した後、使用者はカップ蓋２１又はボトムカップ２３を選用して少なめの量の飲料を収容可能となり、使用者による異なる内容量のニーズにとって便利となる。
【００４６】
図７Ｄ及び図７Ｅはそれぞれ本考案の実施例のカップの異なる分解概略図であり、図７Ｆは一実施例のカップの収納概略図である。
【００４７】
使用せずに収納及び携行するときには、図７Ｄに示すように、カップ蓋２１を第１のカップ本体２２ａから分離させ、ボトムカップ２３を第２のカップ本体２２ｂから分離した後（第１のカップ本体２２ａ及び第２のカップ本体２２ｂは分離する必要はない）、図７Ｅに示すように、カップ蓋２１及びボトムカップ２３を上下逆にすれば、図７Ｆに示すように、カップ蓋２１の上部２１１の直径が第１のカップ本体２２ａの第２の開口Ｏ２の内径より小さく、且つボトムカップ２３の底部２３２の直径も第２のカップ本体２２ｂの第６の開口Ｏ６の内径より小さい構造設計により、カップ蓋２１の一部を第１のカップ本体２２ａ内に重ね合わせるとともに、ボトムカップ２３の一部も第２のカップ本体２２ｂ内に重ね合わせることで、カップ２ａの全体の体積を減少させて、使用者が収納及び携行しやすくなる。
【００４８】
また、本実施例のカップ２ａにおけるその他の技術内容は上記したカップ２の同じ構成要素を参照することができるため、ここでは別途説明しない。
【００４９】
図８は本考案の異なる実施例のカップの概略図であり、図９Ａ及び図９Ｂはそれぞれ本考案の異なるカップ本体に本体底部を加設した概略図であり、図９Ｃは本考案の異なる実施例のボトムカップの概略図である。
【００５０】
一部実施例において、カップは取っ手２２６を有することができ、取っ手２２６はカップ蓋２１、第１のカップ本体２２ａ、第２のカップ本体２２ｂ又はボトムカップ２３に設けることができる。図８に示すように、本実施例は取っ手２２６を第２のカップ本体２２ｂの側面に設けているものを例としており、使用者がカップを持ちやすくなっている。勿論、第１のカップ本体２２ａや、ボトムカップ２３の側面や、カップ蓋２１の側面又は上部２１１に取っ手を加設してもよい。或いは、第１のカップ本体２２ａ及び第２のカップ本体２２ｂに大きな取っ手を加設させることができるが、限定されてない。
【００５１】
図９Ａに示すように、一部実施例において、カップは本体底部２２４ａを更に含み、本体底部２２４ａは第７のねじ部２２５ａを有しており、第７のねじ部２２５ａは第１のカップ本体２２ａの第３のねじ部２２２に対応して設けられており、第１のカップ本体２２ａは第３のねじ部２２２により本体底部２２４ａの第７のねじ部２２５ａと連結可能である。又は、図９Ｂに示すように、カップは本体底部２２４ｂを更に含み、本体底部２２４ｂは第８のねじ部２２５ｂを有しており、第８のねじ部２２５ｂは第６のねじ部２２８に対応して設けられており、第２のカップ本体２２ｂは第６のねじ部２２８により本体底部２２４ｂの第８のねじ部２２５ｂと連結可能である。よって、カップ２ａを完全に分離した後、第１のカップ本体２２ａ、第２のカップ本体２２ｂに対応する本体底部２２４ａ、２２４ｂをそれぞれ取り付けた後、第１のカップ本体２２ａ、第２のカップ本体２２ｂも二つの小さいカップとなることができる。これによりカップ蓋２１、ボトムカップ２３、第１のカップ本体２２ａ、第２のカップ本体２２ｂを含む４個の容量が少なめのカップを得ることで、カップの応用を更に拡大することができる。
【００５２】
また、図９Ｃに示すように、一部実施例において、ボトムカップ２３は更にボトムカップ本体２３３を有することができ、ボトムカップ本体２３３と底部２３２とがそれぞれ個別の部材として分離可能である。具体的には、ボトムカップ２３のボトムカップ本体２３３と底部２３２とが分離可能である。ここで、ボトムカップ２３の底部２３２とボトムカップ本体２３３は互いに対応するねじ部（図示せず）を有して、底部２３２とボトムカップ本体２３３とが連結されてボトムカップ２３を構成することができる。ボトムカップの底部が分離可能である構造は、本文中のその他の実施例にも応用することができる。
【００５３】
その他の一部実施例において、カップ蓋２１は更にカップ蓋本体（図示せず）を有することができ、カップ蓋本体と上部２１１とがそれぞれ個別の部材として分離可能である。言い換えれば、カップ蓋２１の上部２１１は、カップ蓋本体に互いに対応するねじ部（図示せず）有して、上部２１１とカップ蓋本体とが連結されてカップ蓋２１を構成することができる。また、カップ蓋の上部が分離可能である構造は、本文中のその他の実施例にも応用することができる。
【００５４】
上記をまとめるに、本考案のカップにおいて、第１のカップ本体がカップ蓋の第１のねじ部に対応して設けられている第２のねじ部を有する、及びボトムカップが第１のカップ本体の第３のねじ部に対応して設けられている第４のねじ部を有する構造設計により、本考案のカップでは分解した時に少なめの量の飲料を収容可能となり、組み合わせた時には多めの量の飲料を収容可能となる。よって、本考案のカップは、使用者のニーズに応じて、飲料の内容量を調整（変更）可能である。
【００５５】
また、一部の実施例において、本考案のカップの容量は大きく、そして分解、収納又は新たに組み合わせた後でも一体性を有し、カップの容量も調整で元組み合わせより少なくなり、同時に断熱効果を有する。
【００５６】
また、一部の実施例において、本考案のカップは分解、収納又は新たに組み合わせた後に全体的な体積が減少して、使用者が携行しやすくなり、使用者のニーズに応じて自由に調整及び組み合わせることができ、応用の柔軟性はかなり高くなっている。アクセサリーを増加することで更に応用を拡大することができる。
【００５７】
上記は単なる例示に過ぎず、本考案を何ら限定するものではない。本考案の技術思想及び範囲を超えることなく、これに対して行う等価の修正又は変更のいずれも、別紙の実用新案登録請求の範囲に含まれるものである。
【産業上の利用可能性】
【００５８】
本考案のカップは使用者のニーズに応じて自由に調整及び組み合わせることができ、分解、収納又は新たに組み合わせた後でも一体性を有し、応用の柔軟性はかなり高くなっている。アクセサリーを増加することで更に応用を拡大することができる。
【符号の説明】
【００５９】
１、１ａ、１ｂ、２、２ａ      カップ
１１、２１                    カップ蓋
１１１、２１２                第１のねじ部
１１２                        キャップ部
１１３、２１１                上部
１２、２２、２２ａ            第１のカップ本体
１２１、２２１                第２のねじ部
１２２、２２２                第３のねじ部
１３、２３                    ボトムカップ
１３１、２３２                底部
１３２、２３１                第４のねじ部
１３３                        外ねじ部
１３４                        開口部
１４、２２ｂ                  第２のカップ本体
１４１                        第５のねじ部
１４２                        第６のねじ部
１５                          底蓋
１５１                        第７のねじ部
１６、１７                    第３のカップ本体
１６１、１６２、１７１、１７２  ねじ部
２２４ａ、２２４ｂ              本体底部
２２５ａ                        第７のねじ部
２２５ｂ                        第８のねじ部
２２６                          取っ手
２２７                          第５のねじ部
２２８                          第６のねじ部
２３３                        ボトムカップ本体
ｈ１、ｈ２                    貫通穴
Ｏ１                          第１の開口
Ｏ２                          第２の開口
Ｏ３                          第３の開口
Ｏ４                          第４の開口
Ｏ５                          第５の開口
Ｏ６                          第６の開口
Ｏ７                          第７の開口
ｐ１、ｐ２                      突出部
Ｐ                               連結部
【図１Ａ】
0003227658.tif 000003
【図１Ｂ】
0003227658.tif 000004
【図１Ｃ】
0003227658.tif 000005
【図２Ａ】
0003227658.tif 000006
【図２Ｂ】
0003227658.tif 000007
【図２Ｃ】
0003227658.tif 000008
【図３Ａ】
0003227658.tif 000009
【図３Ｂ】
0003227658.tif 000010
【図３Ｃ】
0003227658.tif 000011
【図４Ａ】
0003227658.tif 000012
【図４Ｂ】
0003227658.tif 000013
【図４Ｃ】
0003227658.tif 000014
【図５Ａ】
0003227658.tif 000015
【図５Ｂ】
0003227658.tif 000016
【図６Ａ】
0003227658.tif 000017
【図６Ｂ】
0003227658.tif 000018
【図６Ｃ】
0003227658.tif 000019
【図６Ｄ】
0003227658.tif 000020
【図６Ｅ】
0003227658.tif 000021
【図６Ｆ】
0003227658.tif 000022
【図７Ａ】
0003227658.tif 000023
【図７Ｂ】
0003227658.tif 000024
【図７Ｃ】
0003227658.tif 000025
【図７Ｄ】
0003227658.tif 000026
【図７Ｅ】
0003227658.tif 000027
【図７Ｆ】
0003227658.tif 000028
【図８】
0003227658.tif 000029
【図９Ａ】
0003227658.tif 000030
【図９Ｂ】
0003227658.tif 000031
【図９Ｃ】
0003227658.tif 000032